【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
下記一般式（１）で表されるジヒドロキシ化合物を少なくとも含むジヒドロキシ化合物を、重合触媒の存在下、炭酸ジエステルと反応させる工程を含むポリカーボネートの製造方法であって、
下記一般式（１）で表されるジヒドロキシ化合物中の蟻酸含有量が、２０ｐｐｍ未満であることを特徴とするポリカーボネートの製造方法。
【化１】
2009161746.tif 000001
【請求項２】
重合触媒が、少なくともアルカリ及び／又はアルカリ土類金属化合物を含み、該アルカリ及び／又はアルカリ土類金属化合物の使用量が、反応に用いる全ジヒドロキシ化合物１モルに対して、金属換算量として、０．１μモル以上２５μモル以下の範囲内であり、全ジヒドロキシ化合物に含まれるアルカリ及び／又はアルカリ土類金属化合物の含有量が、反応に用いる全ジヒドロキシ化合物１モルに対して、金属換算量として、１０μモル以下である、請求項１に記載の方法。
【請求項３】
前記一般式（１）で表されるジヒドロキシ化合物の蟻酸含有量が１０ｐｐｍ以下である、請求項１又は２に記載の方法。
【請求項４】
前記一般式（１）で表されるジヒドロキシ化合物が、不活性ガス雰囲気下、減圧雰囲気下、脱酸素剤の存在下、乾燥剤の存在化及び温度４０℃以下よりなる群から選ばれる少なくとも一つの条件下で保管されたものである、請求項１ないし３のいずれか１項に記載の方法。
【請求項５】
前記一般式（１）で表されるジヒドロキシ化合物が、液状で炭酸ジエステルとの反応に供される、請求項１ないし４のいずれか１項に記載の方法。
【請求項６】
ジヒドロキシ化合物が、さらに、脂環式ジヒドロキシ化合物、脂肪族ジヒドロキシ化合物、オキシアルキレングリコール類、芳香族ジヒドロキシ化合物及び環状エーテル構造を有するジオール類よりなる群から選ばれる少なくとも１種のジヒドロキシ化合物を含む、請求項１ないし５のいずれか１項に記載の方法。
【請求項７】
全ジヒドロキシ化合物に対する、前記一般式（１）で表されるジヒドロキシ化合物の割合が１０モル％以上である、請求項１ないし６のいずれか１項に記載の方法。
【請求項８】
前記一般式（１）で表されるジヒドロキシ化合物が、イソソルビド、イソマンニド及びイソイデットよりなる群から選ばれる少なくとも１種である、請求項１ないし７のいずれか１項に記載の方法。
【請求項９】
請求項１ないし８のいずれか１項に記載の方法により得られるポリカーボネート。
【請求項１０】
請求項９に記載のポリカーボネート又はその組成物からなる成形物。
【請求項１１】
前記ポリカーボネートの光弾性係数が、２０×１０−１２Ｐａ−１以下である、請求項１０に記載の成形物。 
【請求項１２】
前記ポリカーボネートのアイゾット衝撃強度が、３０Ｊ／ｍ２以上である、請求項１０又は１１に記載の成形物。
【請求項１３】
前記ポリカーボネートの１１０℃での単位面積あたりのフェノール成分以外の発生ガス量が、５ｎｇ／ｃｍ２以下である、請求項１０ないし１２のいずれか１項に記載の成形物。
【請求項１４】
前記ポリカーボネートの、フェノールと１，１，２，２−テトラクロロエタンの重量比１：１溶液での３０℃±０．１℃における濃度１．００ｇ／ｄｌの還元粘度が、０．４０ｄｌ／ｇ以上である、請求項１０ないし１３のいずれか１項に記載の成形物。 
【請求項１５】
成形物がフィルム又はシートである、請求項１０ないし１４のいずれか１項に記載の成形物。 
【請求項１６】
成形物が容器である、請求項１０ないし１５のいずれか１項に記載の成形物。 
【請求項１７】
成形物が光学材料又は光学部品である、請求項１０ないし１６のいずれか１項に記載の成形物。 
【請求項１８】
成形物がレンズである、請求項１０ないし１７のいずれか１項に記載の成形物。
【請求項１９】
成形物が光学用フィルムである、請求項１０ないし１８のいずれか１項に記載の成形物。 
【請求項２０】
請求項１９に記載の成形物を用いたことを特徴とする表示装置。
【手続補正２】
【補正対象書類名】明細書
【補正対象項目名】０００９
【補正方法】変更
【補正の内容】
【０００９】
［１］下記一般式（１）で表されるジヒドロキシ化合物を少なくとも含むジヒドロキシ化合物を、重合触媒の存在下、炭酸ジエステルと反応させる工程を含むポリカーボネートの製造方法であって、
下記一般式（１）で表されるジヒドロキシ化合物中の蟻酸含有量が、２０ｐｐｍ未満であることを特徴とするポリカーボネートの製造方法。
【化１】
2009161746.tif 000002
【手続補正３】
【補正対象書類名】明細書
【補正対象項目名】００１０
【補正方法】変更
【補正の内容】
【００１０】
［２］重合触媒が、少なくともアルカリ及び／又はアルカリ土類金属化合物を含み、該アルカリ及び／又はアルカリ土類金属化合物の使用量が、反応に用いる全ジヒドロキシ化合物１モルに対して、金属換算量として、０．１μモル以上２５μモル以下の範囲内であり、全ジヒドロキシ化合物に含まれるアルカリ及び／又はアルカリ土類金属化合物の含有量が、反応に用いる全ジヒドロキシ化合物１モルに対して、金属換算量として、１０μモル以下である、［１］に記載の方法。
【手続補正４】
【補正対象書類名】明細書
【補正対象項目名】００１１
【補正方法】変更
【補正の内容】
【００１１】
［３］前記一般式（１）で表されるジヒドロキシ化合物の蟻酸含有量が１０ｐｐｍ以下である、［１］又は［２］に記載の方法。
【手続補正５】
【補正対象書類名】明細書
【補正対象項目名】００１２
【補正方法】変更
【補正の内容】
【００１２】
［４］前記一般式（１）で表されるジヒドロキシ化合物が、不活性ガス雰囲気下、減圧雰囲気下、脱酸素剤の存在下、乾燥剤の存在化及び温度４０℃以下よりなる群から選ばれる少なくとも一つの条件下で保管されたものである、［１］ないし［３］のいずれか１項に記載の方法。
【手続補正６】
【補正対象書類名】明細書
【補正対象項目名】００１３
【補正方法】変更
【補正の内容】
【００１３】
［５］前記一般式（１）で表されるジヒドロキシ化合物が、液状で炭酸ジエステルとの反応に供される、［１］ないし［４］のいずれか１項に記載の方法。
【手続補正７】
【補正対象書類名】明細書
【補正対象項目名】００１４
【補正方法】変更
【補正の内容】
【００１４】
［６］ジヒドロキシ化合物が、さらに、脂環式ジヒドロキシ化合物、脂肪族ジヒドロキシ化合物、オキシアルキレングリコール類、芳香族ジヒドロキシ化合物及び環状エーテル構造を有するジオール類よりなる群から選ばれる少なくとも１種のジヒドロキシ化合物を含む、［１］ないし［５］のいずれか１項に記載の方法。
【手続補正８】
【補正対象書類名】明細書
【補正対象項目名】００１５
【補正方法】変更
【補正の内容】
【００１５】
［７］全ジヒドロキシ化合物に対する、前記一般式（１）で表されるジヒドロキシ化合物の割合が１０モル％以上である、［１］ないし［６］のいずれか１項に記載の方法。
［８］前記一般式（１）で表されるジヒドロキシ化合物が、イソソルビド、イソマンニド及びイソイデットよりなる群から選ばれる少なくとも１種である、［１］ないし［７］のいずれか１項に記載の方法。
［９］［１］ないし［８］のいずれか１項に記載の方法により得られるポリカーボネート。
［１０］［９］に記載のポリカーボネート又はその組成物からなる成形物。
［１１］前記ポリカーボネートの光弾性係数が、２０×１０−１２Ｐａ−１以下である、［１０］に記載の成形物。 
【手続補正９】
【補正対象書類名】明細書
【補正対象項目名】００１６
【補正方法】変更
【補正の内容】
【００１６】
［１２］前記ポリカーボネートのアイゾット衝撃強度が、３０Ｊ／ｍ２以上である、［１０］又は［１１］に記載の成形物。
【手続補正１０】
【補正対象書類名】明細書
【補正対象項目名】００１７
【補正方法】変更
【補正の内容】
【００１７】
［１３］前記ポリカーボネートの１１０℃での単位面積あたりのフェノール成分以外の発生ガス量が、５ｎｇ／ｃｍ２以下である、［１０］ないし［１２］のいずれか１項に記載の成形物。
【手続補正１１】
【補正対象書類名】明細書
【補正対象項目名】００１８
【補正方法】変更
【補正の内容】
【００１８】
［１４］前記ポリカーボネートの、フェノールと１，１，２，２−テトラクロロエタンの重量比１：１溶液での３０℃±０．１℃における濃度１．００ｇ／ｄｌの還元粘度が、０．４０ｄｌ／ｇ以上である、［１０］ないし［１３］のいずれか１項に記載の成形物。 
【手続補正１２】
【補正対象書類名】明細書
【補正対象項目名】００１９
【補正方法】変更
【補正の内容】
【００１９】
［１５］成形物がフィルム又はシートである、［１０］ないし［１４］のいずれか１項に記載の成形物。 
【手続補正１３】
【補正対象書類名】明細書
【補正対象項目名】００２０
【補正方法】変更
【補正の内容】
【００２０】
［１６］成形物が容器である、［１０］ないし［１５］のいずれか１項に記載の成形物。 
【手続補正１４】
【補正対象書類名】明細書
【補正対象項目名】００２１
【補正方法】変更
【補正の内容】
【００２１】
［１７］成形物が光学材料又は光学部品である、［１０］ないし［１６］のいずれか１項に記載の成形物。 
【手続補正１５】
【補正対象書類名】明細書
【補正対象項目名】００２２
【補正方法】変更
【補正の内容】
【００２２】
［１８］成形物がレンズである、［１０］ないし［１７］のいずれか１項に記載の成形物。
【手続補正１６】
【補正対象書類名】明細書
【補正対象項目名】００２３
【補正方法】変更
【補正の内容】
【００２３】
［１９］成形物が光学用フィルムである、［１０］ないし［１８］のいずれか１項に記載の成形物。 
【手続補正１７】
【補正対象書類名】明細書
【補正対象項目名】００２４
【補正方法】変更
【補正の内容】
【００２４】
［２０］［１９］に記載の成形物を用いたことを特徴とする表示装置。